(57)【要約】【課題】エレベータの機械室を小型にすることができるエレベータ制御装置を提供する。【解決手段】エレベータの機械室の側壁上部に固定された上部固定金９と、側壁下部に固定された下部固定金１０と、上部が上部固定金９に固定されるとともに、下部が下部固定金１０に固定され、上方から配線されたエレベータ盤面類７とを備えたエレベータ制御装置とした。かかる構成のエレベータ制御装置においては、エレベータ盤面類７を支えるための強固な構造の配線箱や配線用ダクト等が不要となる。このため、エレベータの機械室４を小型にすることができるようになった。【選択図】図３
2010132411.tif 000002
【特許請求の範囲】
【請求項１】
エレベータの機械室の側壁上部に固定された上部固定金と、
前記側壁下部に固定された下部固定金と、
上部が前記上部固定金に固定されるとともに、下部が前記下部固定金に固定され、上方から配線されたエレベータ盤面類と、
を備えたことを特徴とするエレベータ制御装置。
【請求項２】
エレベータの機械室の側壁から離れた位置で、前記機械室の床面と天井とに固定されたフレームと、
前記フレームに固定され、上方から配線されたエレベータ盤面類と、
を備えたことを特徴とするエレベータ制御装置。
【請求項３】
前記フレームの上部に固定された上部固定金と、
前記フレームの下部に固定された下部固定金と、
を備え、
前記エレベータ盤面類は、上部が前記固定金に固定されるとともに、下部が前記下部固定金に固定されたことを特徴とする請求項２記載のエレベータ制御装置。
【請求項４】
前記エレベータ盤面類は、前記側壁との間に隙間を形成したことを特徴とする請求項２又は請求項３に記載のエレベータ制御装置。
【請求項５】
前記エレベータ盤面類は、前記側壁側の上部が前記上部固定金に固定されるとともに、前記側壁側の下部が前記下部固定金に固定され、前記機械室の床面との間に隙間を形成したことを特徴とする請求項１〜請求項４のいずれかに記載のエレベータ制御装置。
【請求項６】
前記側壁の上部に近接して並んで設けられ、前記配線の一部を支持した複数の支持体、
を備えたことを特徴とする請求項１〜請求項５のいずれかに記載のエレベータ制御装置。
【請求項７】
前記エレベータ盤面類は、複数台からなり、
前記複数の支持体は、各エレベータ盤面類の配線の一部をまとめて支持したことを特徴とする請求項６に記載のエレベータ制御装置。
【発明の詳細な説明】
【技術分野】
【０００１】
この発明は、エレベータの機械室に設けられたエレベータ制御装置に関するものである。
【背景技術】
【０００２】
従来、エレベータの機械室には、巻上機の他に、制御盤、付属盤、群管理盤、受電盤等のエレベータ盤面類が設置される。これらのエレベータ盤面類は、配線箱や配線用ダクトの上に固定される。これらの配線箱や配線用ダクトは、機械室の床面に設けられる。そして、配線箱や配線用ダクト内には、エレベータ盤面類に配線された電線が収納される（例えば、特許文献１及び２参照）。
【０００３】
近年、エレベータの省スペース化のニーズが高い。これに伴い、コンパクトな機械室が要求される。即ち、機械室が最上階に設けられる場合、機械室の隣に居室が設けられることから、機械室の小型化が要求される。また、機械室が屋上に設けられる場合、機械室が大きいと目立つ等の外観上の問題からも、機械室の小型化が要求される。かかる機械室の小型化に伴い、エレベータ盤面類の据付が困難となる。このため、簡単な方法で、エレベータ盤面類の固定及び配線を行うことが要求される。
【０００４】
【特許文献１】特開平４―５９５８０号公報
【特許文献２】実開昭６４―４７７６４号公報
【発明の開示】
【発明が解決しようとする課題】
【０００５】
しかし、特許文献１及び２に記載された配線箱等は、エレベータ盤面類を支持するために、強固にする必要があった。このため、機械室の省スペース化の妨げとなっていた。
【０００６】
この発明は、上述のような課題を解決するためになされたもので、その目的は、エレベータの機械室を小型にすることができるエレベータ制御装置を提供することである。
【課題を解決するための手段】
【０００７】
この発明に係るエレベータ制御装置は、エレベータの機械室の側壁上部に固定された上部固定金と、前記側壁下部に固定された下部固定金と、上部が前記上部固定金に固定されるとともに、下部が前記下部固定金に固定され、上方から配線されたエレベータ盤面類と、を備えたものである。
【発明の効果】
【０００８】
この発明によれば、エレベータの機械室を小型にすることができる。
【発明を実施するための最良の形態】
【０００９】
この発明を実施するための最良の形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１におけるエレベータ制御装置が利用されるエレベータの全体構成図である。
【００１１】
図１において、１は昇降路である。この昇降路１には、かご２及びつり合いおもり３が設けられる。また、昇降路１の上方には、エレベータの機械室４が設けられる。この機械室４には、巻上機５が設けられる。この巻上機５には、ロープ６が巻き掛けられる。このロープ６の両端には、かご２及びつり合いおもり３が連結される。また、機械室４には、エレベータ盤面類７が設けられる。これらのエレベータ盤面類７は、制御盤、付属盤、群管理盤、受電盤等からなる。これらのエレベータ盤面類７は、巻上機５等、エレベータの動作を制御する機能を備える。
【００１２】
図２はこの発明の実施の形態１におけるエレベータ制御装置が設けられた機械室の要部正面図である。図３はこの発明の実施の形態１におけるエレベータ制御装置が設けられた機械室の要部縦断面図である。
図２及び３に示すように、エレベータ盤面類７は、複数台からなる。これらのエレベータ盤面類７の１個当たりのサイズは、例えば、幅１０００ｍｍ、高さ１８００ｍｍ、奥行き６００ｍｍ程度である。これらのエレベータ盤面類７は、機械室４の側壁８に並んで固定される。具体的には、機械室４の側壁８の上部には、上部固定金９がボルトで固定される。この上部固定金９は、機械室４中央に突出している。また、機械室４の側壁８の下部には、下部固定金１０がボルトで固定される。この下部固定金１０は、機械室４中央に突出している。
【００１３】
そして、エレベータ盤面類７の側壁側上部は、上部固定金９の突出部にボルトで固定される。一方、エレベータ盤面類７の側壁側下部は、下部固定金１０の突出部にボルトで固定される。これにより、エレベータ盤面類７は、機械室４の床面との間に隙間を形成した状態で、上部固定金９と下部固定金１０とに挟み込まれるように確実に保持される。上記構成のエレベータ盤面類７は、エレベータの制御に要する電気部品（図示せず）を収納している。また、エレベータ盤面類７の上面は、開放される。そして、エレベータ盤面類７は、上方から配線される。これらの配線１１の一端は、エレベータ盤面類７内の電気部品に接続される。
【００１４】
また、側壁８の上部に近接した天井には、複数の支持体１２が並んで吊り下げられるように設けられる。具体的には、これらの支持体１２は、ハット曲げで形成された簡易ダクト板金からなる。これらの支持体１２は、配線１１の一部を引っ掛けてまとめて支持している。かかる構成により、メンテナンス作業者１３は、配線１１を気にすることなく、機械室４内を移動することができる。
【００１５】
以上で説明した実施の形態１によれば、エレベータ盤面類７は、上部が上部固定金９に固定されるとともに、下部が下部固定金１０に固定され、上方から配線される。このため、配線用ダクト等を不要とすることができる。即ち、機械室４を小型にすることができる。また、エレベータ盤面類７の設置位置の変更が容易となる。
【００１６】
さらに、エレベータ盤面類７は、機械室４の床面との間に隙間を形成している。この隙間は、エレベータ盤面類７の排気スペースとなる。即ち、エレベータ盤面類７の放射性が確保される。加えて、支持体１２は、配線１１の一部を支持する。具体的には、支持体１２は、各エレベータ盤面類７の配線１１の一部をまとめて支持する。即ち、支持体１２は、エレベータ盤面類７を支持する必要がない。このため、支持体１２は、従来の配線用ダクト等のように強固な構造とする必要がなく、設置条件等によるサイズ変更も不要である。即ち、支持体１２は、簡易的な構造で安価に構成することができる。また、各配線１１もまとまり、機械室４の省スペース化が図られる。
【００１７】
さらに、従来のように、配線用ダクト等を設置してから、エレベータ盤面類７を設置する必要がない。即ち、エレベータ盤面類７の取り付けと支持体１２の取り付けを同時に行うことができる等、作業時間の短縮が図られる。
【００１８】
実施の形態２．
図４はこの発明の実施の形態２におけるエレベータ制御装置が設けられた機械室の要部正面図である。図５はこの発明の実施の形態２におけるエレベータ制御装置が設けられた機械室の要部縦断面図である。なお、実施の形態１と同一又は相当部分には同一符号を付して説明を省略する。
【００１９】
実施の形態１においては、エレベータ盤面類７は、機械室４の側壁８に直接固定されていた。一方、実施の形態２においては、エレベータ盤面類７は、盤面類固定用フレーム１４に固定されている。これらの盤面類固定用フレーム１４は、機械室４の天井と床面とにボルトで固定されている。具体的には、盤面類固定用フレーム１４の上部には、上部固定金１５がボルトで固定される。この上部固定金１５は、機械室４中央に突出している。また、盤面類固定用フレーム１４の下部には、下部固定金１６がボルトで固定される。この下部固定金１６は、機械室４中央に突出している。
【００２０】
そして、エレベータ盤面類７の側壁側上部は、上部固定金１５の突出部にボルトで固定される。一方、エレベータ盤面類７の側壁側下部は、下部固定金１６の突出部にボルトで固定される。これにより、エレベータ盤面類７は、機械室４の床面との間に隙間を形成した状態で、上部固定金１５と下部固定金１６とに挟み込まれるように確実に保持される。また、エレベータ盤面類７は、機械室４の側壁８との間にも隙間を形成した状態で保持される。これにより、メンテナンス作業者１３のメンテナンススペース１７が確保される。なお、盤面類固定用フレーム１４は、長手方向に曲げが入れてある。これにより、盤面類固定用フレーム１４の強度が保たれる。
【００２１】
以上で説明した実施の形態２によれば、エレベータ盤面類７は、機械室４の側壁８との間に隙間を形成している。このため、実施の形態１と同様の効果に加え、エレベータ盤面類７の裏面側からメンテナンスをすることができる。さらに、エレベータ盤面類７の排気スペースをより大きくすることができる。
【図面の簡単な説明】
【００２２】
【図１】この発明の実施の形態１におけるエレベータ制御装置が利用されるエレベータの全体構成図である。
【図２】この発明の実施の形態１におけるエレベータ制御装置が設けられた機械室の要部正面図である。
【図３】この発明の実施の形態１におけるエレベータ制御装置が設けられた機械室の要部縦断面図である。
【図４】この発明の実施の形態２におけるエレベータ制御装置が設けられた機械室の要部正面図である。
【図５】この発明の実施の形態２におけるエレベータ制御装置が設けられた機械室の要部縦断面図である。
【符号の説明】
【００２３】
１  昇降路、  ２  かご、  ３  つり合いおもり、  ４  機械室、  ５  巻上機、
６  ロープ、  ７  エレベータ盤面類、  ８  側壁、  ９  上部固定金、
１０  下部固定金、  １１  配線、  １２  支持体、  １３  メンテナンス作業者、
１４  盤面類固定用フレーム、  １５  上部固定金、  １６  下部固定金、
１７  メンテナンススペース
【図１】
2010132411.tif 000003
【図２】
2010132411.tif 000004
【図３】
2010132411.tif 000005
【図４】
2010132411.tif 000006
【図５】
2010132411.tif 000007